(57)【要約】      （修正有）【課題】従来の縫いぐるみは単色及び単箇所発光であるので、ゆっくり、かつ多色にして柔らかく点滅発光する縫いぐるみを提供する。【解決手段】縫いぐるみ本体４を形成する表生地２の内部に芯材３を詰めて成る縫いぐるみ本体４の表生地２の内側任意部位に、赤色、緑色、黄色、青色など異なる色のＬＥＤを３個一組とする発光体７を、前記縫いぐるみ本体４の表生地２の内側に位置するとともに、手の部分の表生地２内側部位にスイッチを位置した縫いぐるみ本体４を形成し、その縫いぐるみ本体４の背部に、ファスナー付き収納部を設け、その収納部に、前記する発光体７とスイッチ及び電池ケースそれぞれをリード線で接続して成る発光する縫いぐるみ１とする。【選択図】図１
0003129757.tif 000002
【実用新案登録請求の範囲】
【請求項１】
表生地が透光性素材による縫いぐるみ本体の前記表生地の内側に、点滅発光する複数個のＬＥＤを一組とする任意個数の発光体とスイッチを位置して成る他方部に、前記する発光体とスイッチと電池ケースをリード線で接続配線して成る構成を特徴とする発光する縫いぐるみ。
【請求項２】
上記する発光体が、色の異なるＬＥＤで形成される請求項１に記載する発光する縫いぐるみ。
【請求項３】
上記する発光体とスイッチと電池ケースの配線に、メロディー発生回路とスピーカーを接続して成る請求項１又は請求項２に記載する光る縫いぐるみ。
【考案の詳細な説明】
【技術分野】
【０００１】  本考案は、縫いぐるみの表生地の内側に位置した異なる色のＬＥＤ複数個を一組とする発光体が順次ゆっくり点滅発光することで、見た目にも美しく色変化し、かつ、安らぎや癒し感を与える縫いぐるみに関する。
【背景技術】
【０００２】  従来、縫いぐるみの中や外側に発光体を設けたものがあり、その一つとして、透光性材料で包皮されて成る縫いぐるみ本体内の所定位置に、電源に接続された発光ダイオードを収めることで、縫いぐるみの任意箇所が発光する技術がある。（例えば、特許文献１参照）【０００３】  また、縫いぐるみ玩具の目部に発光ダイオードを位置し、他部にメロディー発生装置、電池、スイッチ等を収めた縫いぐるみとすることで、メロディーを発生している間目部分が発光する技術がある。（例えば、特許文献２参照）【０００４】
【特許文献１】公開実用新案公報昭６１−１３０２８６
【特許文献２】公開実用新案公報昭６４−１９４９２
【考案の開示】
【考案が解決しようとする課題】
【０００５】  上記のように発光する縫いぐるみの技術が開示されているが、前記する公開実用新案昭６１−１３０２８６は、透光性材料により包皮されて成る縫いぐるみ玩具の内部に、電源、発光ダイオード、スイッチ、タイマーなどを配し、スイッチを入れると前記発光ダイオードが発光することで、一定時間発光する縫いぐるみである。しかし前記する発光ダイオードは複数個配しているが、それぞれ単一の色のダイオードを１個づつ適度な間隔で配するだけであるため、発光してもそれほど面白さや興味を高められるものではなく、しばらくすると子供は飽きてしまうなどの不便や欠点のある玩具である。【０００６】  さらに、公開実用新案公報昭６４−１９４９２に開示する技術は、縫いぐるみの目の部分に発光ダイオードを位置し、その内部に電池とスイッチ、メロディー発生装置を収めた構成にすることにより、メロディーが鳴っているのに合わせて目の部分に位置した発光ダイオードも点滅発光することで興味を持たせる縫いぐるみである。しかし発光部分は目の部分のみであるとともに点滅発光は単色であるめ、慣れると単調でそれほど面白味や興味を持たせられる玩具とは言えない。また点滅発光と同時にメロディーが鳴る面白さはあるが目のみが発光するので、中には怖がる子供も出るなどの欠点がある縫いぐるみである。
【課題を解決するための手段】
【０００７】  本考案は上記するような従来の技術が持つ不便や欠点を解消するために、請求項１においては、表生地が透光性を有する縫いぐるみ本体の前記表生地の内側に、複数個のＬＥＤを一組とする任意個数の発光体とスイッチを任意部位に位置するとともに、他方部に設けた電池ケースと前記する発光体とスイッチをリード線で接続することで、生地を透した柔らかい光りとともにゆっくり点滅発光させることにより気持ちが和らぎ、かつ、幻想的にして癒し効果も得られる縫いぐるみとする。【０００８】  請求項２においては、上記する発光体が、色の異なる複数個のＬＥＤで形成することで、異なる色変化による美しさや楽しさを得られるものとする。【０００９】  請求項３においては、上記する発光体とスイッチと電池ケースの配線に、メロディー発生回路とスピーカーを接続することにより、色変化による発光を目でも楽しめるとともに、耳でも爽やかなメロディーを楽しめるものとする。
【考案の効果】
【００１０】  本考案による縫いぐるみは、縫いぐるみを形成する透光性ある表生地の内側に、異なる色のＬＥＤを一組とする発光体を任意部位に複数個配し、それぞれの発光体のＬＥＤが順に発光するので、外側から見ると柔らかい光りとなり、かつ、多色の色変化による点滅発光による幻想的な光りの演出を楽しめるので、子供にとっては飽きの来ないユニークな発光する縫いぐるみを構成する。【００１１】  また発光点滅はゆっくりで、かつ、毛羽立った表生地を透した刺激の弱い光りであるので、幼児のみならず大人にも安らぎ感や癒し効果を与えるため、長時間の発光でも気にならずインテリアの一つとしても調和する縫いぐるみとなる。【００１２】  さらに、実施形態２に示すようにメロディーを付加したタイプは、柔らかくゆっくり発光する光りとともにメロデーも鳴らせるので、目にする光りは優しく、耳には心地良い音を与えることができるため、特に幼児の興味を高めることはもとより、寝たきり高齢者のベッドの傍に置けば、心の癒しやリハビリ効果を与えられる従来には見られない発光する縫いぐるみである。【００１３】  加えて、ＬＥＤを数多く並べたタイプは文字や絵を発光表示できるので、バラエティーに富んで一層製品を際立たせるので、ギフトやクリスマス、誕生会、イベントなどに最適な販売需要を開拓できるとともに、印象高い縫いぐるみとメロディーの組み合わせによりさらに子供の喜びを得る人気アイテム要素を満たす。また縫いぐるみの形態は無制限であるので外見は縫いぐるみでもかぶり物や袋物、吊り下げ飾りなど多様な形態に応用可能な発光する縫いぐるみを広く提供できる。
【考案を実施するための最良の形態】
【００１４】  本考案の第１実施形態の縫いるぐみを図１に示す一部剥離した斜視図と図２に示す発光体の拡大斜視図、図３に示す縫いぐるみの要部欠損断面図で説明する。【００１５】  本考案による第１実施形態に示す発光する縫いぐるみ１は、毛羽立ち、かつ、透光性ある表生地２の内部に芯材３を詰めて成る動物形の縫いぐるみ本体４の前部に、同じ表生地２によるハート型の飾り５を取り付けて成るものとし、その縫いぐるみ本体４及び飾り５を形成する表生地２の内側の任意箇所に、赤色、緑色、黄色、青色など色の異なるＬＥＤ６、６ａ、６ｂを３個を一組とする発光体７を、前記縫いぐるみ本体４の頬部や飾り５の表生地２の内側に位置するとともに、手の先部分の表生地２部位には押し圧によるスイッチ８を位置した縫いぐるみ本体４を形成し、その縫いぐるみ本体４の背部に、ファスナー９付き収納部１０を設け、その収納部１０に前記する各発光体７、スイッチ８及び電池ケース１１それぞれをリード線１２で接続して成る前記電池ケース１１を収納部１０に出し入れ自在に収めた発光する縫いぐるみ１を構成する。【００１６】  尚、前記する発光体７は図２に示すように、ゆっくり点滅発光する回路基板１３に発色の異なるＬＥＤ６、６ａ，６ｂ３個を一組とする発光体７とし、その各発光体６とスイッチ８、電池ケース１１それぞれがリード線１２で接続されるものである。【００１７】  第１の実施形態による発光する縫いぐるみ１は、縫いぐるみ本体４や飾り５を形成する表生地２内側の任意部位に、色の異なる３個のＬＥＤ６，６ａ，６ｂを一組とする発光体７を位置した構成であるため、手の先部分に位置するスイッチ８を押すと、表生地２の裏側に配した発光体７の各ＬＥＤ６，６ａ，６ｂそれぞれがゆっくり、かつ、生地を通した柔らかい光りで幻想的に点滅発光する。【００１８】  次に、本考案の第２実施形態の縫いぐるみを図４に示す一部欠損断面図で説明する。第２実施形態における発光する縫いぐるみ１は、基本構成は前記した第１の実施形態と同じであるが、発光体７の他にメロディー発生機能を加えたものである。【００１９】  本実施形態による縫いぐるみ本体４や飾り５の発光体７の基本構成は前記する第１の実施形態と同じであるが、その縫いぐるみ本体４のファスナー９付き収納部１０及び電池ケース１１の奥に、メロディー発生回路１４とスピーカー１５を、発光体７（図示省略している）とともにリード線１２で配線して成る縫いぐるみ本体４を構成している。【００２０】  第２実施形態による縫いぐるみ本体４には、複数部位に発光体７を設けるとともに、メロディー発生回路１４とスピーカー１５を内包しているので、スイッチ８を入れると順に多色の発光とともにメロディーが鳴るので、目で楽しんだり耳でも同時に楽しめる発光する縫いぐるみ１を形成する。【００２１】  本考案による発光する縫いぐるみ１は以上のように構成されるが、縫いぐるみ本体４に設ける発光体７は、愛らしさを増すように頬部分に設けているが、耳やその他いずれの箇所設けてもよい。また発光体７は色の異なる３個を一組としているが、２個でもよいし、さらに多くても構わない。さらに同じ色のＬＥＤ６を数多く平板状に並べて、簡単な文字や図柄状に発光するもので��ってもよい。またスイッチ８は目立たないように手の先の表生地２内側であるが、背部にスイッチ８の一部が見える状態に設けても差し支えないことはもとより、スイッチ８のタイプも問わない。加えて、音はメロディー以外に優しい女性の歌声などなんでもよいものである。また縫いぐるみは動物以外に人形でも何でもよく、いずれも特に限定されるものではない。
【図面の簡単な説明】
【００２２】
【図１】本考案の発光する縫いぐるみの第１の実施形態を示す一部剥離した斜視図である。
【図２】第１の実施形態の発光体を示す拡大斜視図である。
【図３】第１の実施形態の縫いぐるみ本体を示す一部欠損断面図である。
【図４】発光する縫いぐるみの第２の実施形態を示す一部欠損した断面図である。
【符号の説明】
【００２３】１  発光する縫いぐるみ
２  表生地
３  芯材
４  縫いぐるみ本体
５  飾り
６  ＬＥＤ
６ａ  ＬＥＤ
６ｂ  ＬＥＤ
７  発光体
８  スイッチ
９  ファスナー
１０  収納部
１１  電池ケース
１２  リード線
１３  回路基板
１４  メロディー発生回路
１５  スピーカー
【図１】
0003129757.tif 000003
【図２】
0003129757.tif 000004
【図３】
0003129757.tif 000005
【図４】
0003129757.tif 000006